(57)【特許請求の範囲】
【請求項１】
商品の販売を依頼する依頼者が利用するクライアント端末と通信可能に構成された代理店装置と、上記代理店装置と通信可能に構成された新聞販売店端末とを有するシステムであって、
上記新聞販売店端末は、
顧客固有の顧客識別情報、顧客の家庭単位で付与されている家庭識別情報を含む顧客家庭情報記憶手段と、
少なくとも各顧客の住所情報または固定電話番号情報を含む顧客申告属性情報と共に、広告配布者が評価判断した配布者評価属性情報を含む顧客個人情報の入力を受け付け、上記顧客家庭情報記憶手段に記憶する顧客情報入力手段と、
顧客からの商品注文情報及び顧客識別情報を含む顧客情報を取得する取得手段と、
上記顧客家庭情報記憶手段を参照して、上記取得した顧客識別情報から注文した顧客家庭識別情報を特定する特定手段と、
取得した商品注文情報と上記特定した家庭識別情報とからなる注文情報を上記代理店装置へ送信する注文送信手段と、
上記代理店装置へ入力された顧客個人情報を送信する顧客情報送信手段と、を有し、
上記代理店装置は、
上記商品販売者のクライアント端末の情報と、当該商品の販売依頼者が販売している商品の商品識別情報とを関連付けて記憶する商品情報記憶手段と、
各顧客の個人情報を新聞販売店情報と互いに関連付けて記憶する顧客情報記憶手段と、
上記新聞販売店端末から送信された商品注文情報及び家庭識別情報とを受付けると共に、上記商品情報記憶手段を参照して注文商品の商品販売者を特定する注文受付手段と、
上記顧客情報記憶手段を参照して、受信した家庭識別情報から注文した顧客が属する新聞販売店を特定する手段と、
上記発注された商品を扱う企業等のクライアント端末に対して、上記特定した新聞販売店へ商品を発送するように発注を行う注文送信手段と、
を有することを特徴とする新聞販売店を介した商品発注配送システム。
【請求項２】
商品の販売を依頼する依頼者が利用するクライアント端末と通信可能に構成され、商品販売依頼者のクライアント端末の情報と当該商品の販売依頼者が販売している商品の商品識別情報とを関連付けて記憶する記憶手段及び、各顧客の個人情報を新聞販売店情報と互いに関連付けて記憶する顧客情報記憶手段を有する代理店装置と、
上記代理店装置と通信可能に構成され顧客固有の顧客識別情報、顧客の家庭単位で付与されている家庭識別情報を含む顧客家庭情報記憶手段及び、少なくとも各顧客の住所情報または固定電話番号情報を含む顧客申告属性情報と共に、広告配布者が評価判断した配布者評価属性情報を含む顧客個人情報の入力を受け付け、上記顧客家庭情報記憶手段に記憶する顧客情報入力手段を有する新聞販売店端末とにより行われる方法であって、
上記新聞販売店端末が、
顧客からの商品注文情報及び顧客識別情報を含む顧客情報を取得する処理と、
上記顧客家庭情報記憶手段を参照して、上記取得した顧客識別情報から注文した顧客家庭識別情報を特定する処理と、
取得した商品注文情報と上記特定した家庭識別情報とからなる注文情報を上記代理店装置へ送信する処理と、
上記代理店装置へ入力された顧客個人情報を送信する処理と、を行い、
上記代理店装置が、
上記新聞販売店端末から送信された商品注文情報及び家庭識別情報とを受付けると共に、上記商品情報記憶手段を参照して注文商品の商品販売者を特定する処理と、
上記顧客情報記憶手段を参照して、受信した家庭識別情報から注文した顧客が属する新聞販売店を特定する処理と、
上記発注された商品を扱う企業等が利用する上記クライアント端末に対して、上記特定した新聞販売店へ商品を発送するように発注を行う処理と、を行う、
ことを特徴とする商品発注配送方法。
【請求項３】
商品販売者のクライアント端末及び、少なくとも各顧客の住所情報または固定電話番号情報を含む顧客申告属性情報と共に、広告配布者が評価判断した配布者評価属性情報を含む顧客個人情報を送信すると共に、顧客からの商品注文情報及び顧客識別情報を含む顧客情報を取得して、取得した商品注文情報と当該顧客識別情報から特定される家庭識別情報とからなる注文情報を送信する新聞販売店端末と通信可能に構成され、上記商品販売依頼者のクライアント端末の情報と、当該商品の販売依頼者が販売している商品の商品識別情報とを関連付けて記憶する記憶手段及び、各顧客の個人情報を新聞販売店情報と互いに関連付けて記憶する顧客情報記憶手段を有するコンピュータを代理店装置として機能させるためのコンピュータプログラムであって、
上記コンピュータに対して、
上記新聞販売店端末から送信された顧客個人情報、商品注文情報及び家庭識別情報とを受付けると共に、上記商品情報記憶手段を参照して注文商品の商品販売者を特定する処理と、
上記顧客情報記憶手段を参照して、受信した家庭識別情報から注文した顧客が属する新聞販売店を特定する処理と、
上記発注された商品を扱う企業等が利用する上記クライアント端末に対して、上記特定した新聞販売店へ商品を発送するように発注を行う処理と、
を実行させるコンピュータプログラム。
【発明の詳細な説明】
【技術分野】
【０００１】
本発明は、広告を配布するための技術であって、詳しくは、広告効果が高いと判断される顧客に確実に広告情報を提供するのに好適な技術に関する。
【背景技術】
【０００２】
従来から広告を配布する手段として、新聞販売店を利用した折り込み広告の方法が知られている。この新聞販売店は戸別に新聞を配達するという特有の販売網を有しており、所定の地域に広告を画一的に提供することが出来る。また、新聞販売店は地域の生活に密着しており、どこにどのような属性を有している人が住んでいるのか情報を有している。
しかしながら、その情報や販売網は広告の提供に有効に生かされていない。
【０００３】
そこで、新聞販売店の情報や販売網を有効に利用して広告を配布する手段として、例えば、各販売地域の新聞販売店が有する、性別、年齢、住所、業種等の地域内顧客情報を、地域販売店サーバよりメインサーバに登録して集中管理し、メインサーバに広告情報及び提供対象情報を入力し、広告情報配信対象者を特定し、特定された顧客が属する地域販売店サーバに広告情報を送信し、地域販売店サーバより対象顧客端末に対して広告情報を送信することにより、広告の配布を、対象顧客を選別してオンラインで行うようにしたものが提案されている（特許文献１参照）。
【０００４】
【特許文献１】特開２００１−３５７２８３号公報
【発明の開示】
【発明が解決しようとする課題】
【０００５】
ところが従来の顧客情報（属性）は、顧客側からの申告によるものであるため、多くの情報を収集しようとすると顧客側の負担を大きくしてしまうという欠点があった。
また、アンケートなどに顧客に様々な属性に対する回答を求めても、全ての項目について回答してくれるとは限らず、適正な顧客の評価を行うことは困難であった。さらに、周囲は気付いていても顧客本人が無自覚な属性は顧客情報に反映されていなかった。特に、例えば、新聞販売・配達員のように、各家庭に実際に行き、かつその家庭の特徴などをしているにもかかわらず、これらの知識が有効には利用されておらず、無駄な広告の配布が行われるなど効率的なポスティングができていないという問題があった。
【０００６】
また上述したシステムは、オンラインでの広告配信を前提とし、顧客を個人単位で管理していたため、新聞の折り込み広告に使うためには適していないという問題があった。
【０００７】
本発明は、上述のような課題を解決するためになされたものであって、その目的とするところは、商品購入にまで結び付く割合が高い広告情報の提供ができる仕組みを提供することにある。特に、新聞販売店が取得可能な地域住民の特定属性情報を利用すると共に、新聞販売店特有の販売網を有効に活用することを目的とする。
【課題を解決するための手段】
【０００８】
上記目的を達成するため、本発明の一の観点にかかる新聞販売店を介した商品発注配送システムは、商品の販売を依頼する依頼者が利用するクライアント端末と通信可能に構成された代理店装置と、上記代理店装置と通信可能に構成された新聞販売店端末とを有するシステムであって、上記新聞販売店端末は、顧客固有の顧客識別情報、顧客の家庭単位で付与されている家庭識別情報を含む顧客家庭情報記憶手段と、少なくとも各顧客の住所情報または固定電話番号情報を含む顧客申告属性情報と共に、広告配布者が評価判断した配布者評価属性情報を含む顧客個人情報の入力を受け付け、上記顧客家庭情報記憶手段に記憶する顧客情報入力手段と、顧客からの商品注文情報及び顧客識別情報を含む顧客情報を取得する取得手段と、上記顧客家庭情報記憶手段を参照して、上記取得した顧客識別情報から注文した顧客家庭識別情報を特定する特定手段と、取得した商品注文情報と上記特定した家庭識別情報とからなる注文情報を上記代理店装置へ送信する注文送信手段と、上記代理店装置へ入力された顧客個人情報を送信する顧客情報送信手段と、を有し、上記代理店装置は、上記商品販売者のクライアント端末の情報と、当該商品の販売依頼者が販売している商品の商品識別情報とを関連付けて記憶する商品情報記憶手段と、各顧客の個人情報を新聞販売店情報と互いに関連付けて記憶する顧客情報記憶手段と、上記新聞販売店端末から送信された商品注文情報及び家庭識別情報とを受付けると共に、上記商品情報記憶手段を参照して注文商品の商品販売者を特定する注文受付手段と、上記顧客情報記憶手段を参照して、受信した家庭識別情報から注文した顧客が属する新聞販売店を特定する手段と、上記発注された商品を扱う企業等のクライアント端末に対して、上記特定した新聞販売店へ商品を発送するように発注を行う注文送信手段とを有することを特徴とする。
【００１１】
本発明の一の観点にかかる商品発注配送方法は、商品の販売を依頼する依頼者が利用するクライアント端末と通信可能に構成され、商品販売依頼者のクライアント端末の情報と当該商品の販売依頼者が販売している商品の商品識別情報とを関連付けて記憶する記憶手段及び、各顧客の個人情報を新聞販売店情報と互いに関連付けて記憶する顧客情報記憶手段を有する代理店装置と、上記代理店装置と通信可能に構成され顧客固有の顧客識別情報、顧客の家庭単位で付与されている家庭識別情報を含む顧客家庭情報記憶手段及び、少なくとも各顧客の住所情報または固定電話番号情報を含む顧客申告属性情報と共に、広告配布者が評価判断した配布者評価属性情報を含む顧客個人情報の入力を受け付け、上記顧客家庭情報記憶手段に記憶する顧客情報入力手段を有する新聞販売店端末とにより行われる方法であって、上記新聞販売店端末が、
顧客からの商品注文情報及び顧客識別情報を含む顧客情報を取得する処理と、上記顧客家庭情報記憶手段を参照して、上記取得した顧客識別情報から注文した顧客家庭識別情報を特定する処理と、取得した商品注文情報と上記特定した家庭識別情報とからなる注文情報を上記代理店装置へ送信する処理と、上記代理店装置へ入力された顧客個人情報を送信する処理とを行い、上記代理店装置が、上記新聞販売店端末から送信された商品注文情報及び家庭識別情報とを受付けると共に、上記商品情報記憶手段を参照して注文商品の商品販売者を特定する処理と、上記顧客情報記憶手段を参照して、受信した家庭識別情報から注文した顧客が属する新聞販売店を特定する処理と、上記発注された商品を扱う企業等が利用する上記クライアント端末に対して、上記特定した新聞販売店へ商品を発送するように発注を行う処理とを行うことを特徴とする。
【００１２】
本発明の一の観点にかかるコンピュータプログラムは、商品販売者のクライアント端末及び、少なくとも各顧客の住所情報または固定電話番号情報を含む顧客申告属性情報と共に、広告配布者が評価判断した配布者評価属性情報を含む顧客個人情報を送信すると共に、顧客からの商品注文情報及び顧客識別情報を含む顧客情報を取得して、取得した商品注文情報と当該顧客識別情報から特定される家庭識別情報とからなる注文情報を送信する新聞販売店端末と通信可能に構成され、上記商品販売依頼者のクライアント端末の情報と、当該商品の販売依頼者が販売している商品の商品識別情報とを関連付けて記憶する記憶手段及び、各顧客の個人情報を新聞販売店情報と互いに関連付けて記憶する顧客情報記憶手段を有するコンピュータを代理店装置として機能させるためのコンピュータプログラムであって、上記コンピュータに対して、上記新聞販売店端末から送信された顧客個人情報、商品注文情報及び家庭識別情報とを受付けると共に、上記商品情報記憶手段を参照して注文商品の商品販売者を特定する処理と、上記顧客情報記憶手段を参照して、受信した家庭識別情報から注文した顧客が属する新聞販売店を特定する処理と、上記発注された商品を扱う企業等が利用する上記クライアント端末に対して、上記特定した新聞販売店へ商品を発送するように発注を行う処理とを実行させることを特徴とする。
【発明の効果】
【００２６】
本発明によれば、地域または家庭の特色を判断して特定単位としているため、単なる画一的は情報提供による無駄を低減させることが出来ると共に、潜在的顧客の選定漏れを軽減できる。
また、販売店側が顧客に対して行った評価判断を属性情報に含んでいるため、本人には気付かない嗜好の傾向が分かり、潜在的顧客の掘り起こしによる新規顧客開拓が期待出来ると同時に、顧客属性情報の収集に際して顧客側の手間を軽減することができる。
さらに、顧客に対して広告を確実に提供できる確率の高い情報提供ランクを設けたため、顧客属性に応じた適切な情報の提供が行なえることが期待できる。
【発明を実施するための最良の形態】
【００２７】
以下、本発明の一実施の形態として、企業やメーカー、商店など（以下、単に「企業等」という。）が広告の配布を依頼する広告依頼者がそれぞれ利用するクライアント端末と、新聞販売店など顧客家庭に広告配布を行う配布者がそれぞれ利用する広告配布者端末（以下、単に「新聞販売店端末」という。）と、広告の配布を受ける顧客が利用する顧客端末と、上記クライアント端末と上記広告配布者端末及び上記顧客端末と通信により情報の授受を行う広告配布管理装置（以下、単に「広告代理店サーバ」という。）と、から構成されるシステムの一例について、図面を参照して説明する。
図１は、本発明の実施の形態に係る広告配布支援システムの一例を示す概略図である。また、図２は、本実施の形態に係る広告配布支援システムに用いるクライアント端末と広告配布者端末と顧客端末と広告配布管理装置の機能ブロック図である。
【００２８】
本実施の形態における広告配布支援システムは、図１及び図２に示すように、複数のクライアント端末２０（２０Ａ，２０Ｂ・・・）と、複数の新聞販売店端末３０（３０Ａ，３０Ｂ・・・）と、複数の顧客端末４０（４０Ａ１，４０Ａ２，・・・４０Ｂ１，４０Ｂ２・・・）と、広告配布管理装置１０とにより実現され、これらはインターネット等の所定のネットワーク５０を介して通信可能に構成されている。
【００２９】
広告代理店サーバ１０は、図２に示すように、顧客情報受付部１０１と、顧客情報記憶部１０２と、広告配布問合せ部受付部１０３と、広告情報記憶部１０４と、広告配布要求受付部１０５と、広告配布許諾申請部１０６と、注文情報受付部１０７と、広告情報閲覧部１０８と、広告配布依頼部１０９と、広告部数報知部１１０と、配布広告部数算出部１１１と、注文情報送信部１１２と、広告受付テンプレート発行部１１３と、配布見込み情報送信部１１４と、対象顧客特定部１１５と、識別広告情報送信部１１６と、広告配布者特定部１１７と、希望広告情報送信部１１８とを具備する。なお、図示しないが、上述した広告代理店サーバ１０においては、動作を制御するＣＰＵ（中央処理装置）と、制御プログラムを記録した記憶装置もそれぞれ具備されている。
【００３０】
顧客情報受付部１０１は、インターネットなどの所定のネットワーク５０を介して通信可能に接続された新聞販売店端末３０から送られる顧客ごとの個人情報（以下、単に「顧客情報」という場合がある。）を、この顧客情報を入力した広告配布者ごとに付与される固有のＩＤ番号と共に受け付ける処理を行う。
【００３１】
顧客情報記憶部１０２は、顧客情報受付部１０１で受け付けた顧客情報を送信元の広告配布者情報と互いに関連付けてデータベース化して記憶するものである。この顧客情報は、たとえば図１９に示す顧客情報ファイル６０のような形で顧客情報記憶部１０２に記憶することが出来る。
この顧客情報ファイル６０には、広告を受け取る顧客ごとに付与される固有のＩＤ番号（顧客ID）や、氏名、住所、年齢、性別、固定電話番号、携帯電話、ｅ−ｍａｉｌアドレス、といった顧客に関連する客観的な属性情報を記憶する欄がそれぞれ設けられている。また、顧客情報ファイル６０には、例えば、髪型情報（ロング・セミロング・ショートなど）、服装情報（スーツ・制服・カジュアル・ブランド好き・派手・地味など）、住宅情報（一戸建て、マンション、家賃、ＣＡＴＶ）、車・バイク情報、ペット情報、外出時間帯情報、行動情報（昼型・夜型・アウトドア型・インドア型など）、といった第三者が評価判断する属性情報を記憶する蘭がそれぞれ設けられている。さらに、顧客情報ファイル６０には、顧客情報を入力した各広告配布者に付与される固有のＩＤ番号（新聞販売店ID）を記憶する蘭が設けられている。また、この顧客情報記憶部１０２には、新聞販売店情報として広告配布地域情報を記憶する欄を設けても良い。そして、これらは一件の顧客情報毎に区分けされている。
【００３２】
広告配布問合せ部受付部１０３は、クライアント端末２０から送られた後述する広告配布対象条件を受け付ける処理を行う。
【００３３】
広告情報記憶部１０４は、後述する広告配布依頼部１０９で受け付けたクライアント端末２０から広告の配布依頼があった広告情報を記憶するものである。この広告情報は、たとえば図２１に示す広告情報ファイル８０のような形で広告情報記憶部１０４に記憶することが出来る。
【００３４】
この広告情報ファイル８０には、受け付けた広告ごとに付与される固有のＩＤ番号（広告ID）や、広告の配布依頼を行うクライアントごとに付与される固有のＩＤ番号（クライアントID）、配布対象条件、広告の配布日時、配布ランク、広告内容、取扱商品名、及び取扱商品ごとに付与される固有のＩＤ番号（商品ID）といった広告の配布に関連する情報を記憶する欄がそれぞれ設けられている。そして、これらは一件の広告情報毎に区分けされている。また、広告情報記憶部１０４は、クライアント端末２０より送られたカタログ広告情報を所定の項目別に分類して記憶することも出来る。
【００３５】
広告配布要求受付部１０５は、顧客端末４０から後述する広告配布希望条件を受け付ける処理を行う。
【００３６】
広告配布許諾申請部１０６は、広告配布地域情報に含まれない他の地域からの広告配布依頼に応じて、該当地域の広告配布者の広告配布者端末に対して広告配布の許諾を求める処理を行う。
すなわち、たとえば新聞販売店の場合であれば、新聞販売店は新聞を配布する地域が決まっており、この配布地域を越えて新聞は配布しない。そのため、広告の場合も新聞の配布地域を超えては配布されないので、所望の地域に広告を配布したい場合は、所望の地域を配達地域とする新聞販売店に依頼をしなければならない。しかしながら、新聞販売店は地元の企業等と密接な場合があり、その密接な地元企業等と競合する企業の広告の配布は受けられないとすることがある。したがって、企業等の所在地域から離れた地域へ広告を配布することを意図する場合は、予め所望の地域を配達地域とする新聞販売店に許諾を求める必要がある。
【００３７】
注文情報受付部１０７は、顧客及びカタログ商品の判別が可能な識別情報、及び商品注文数量の指定が可能な選択情報を、新聞販売店端末３０より注文情報として受け付ける処理を行う。この識別情報及び選択情報は、顧客端末４０からのカタログ広告情報の閲覧要求に応じて付加され、後述する識別広告情報送信部１１６より送信されたものである。
【００３８】
広告情報閲覧部１０８は、顧客端末４０からの要求に応じて、上記広告情報記憶部１０４に記憶されたカタログ広告情報を、当該顧客端末４０の表示部にて閲覧可能となるように出力する処理を行う。
【００３９】
広告配布依頼部１０９は、後述する配布見込み情報送信部１１４での配布見込み情報の送信に応じて、上記クライアント端末２０から返送された広告情報及び広告配布日時指定情報を広告の配布依頼として受け付け、受け付けた上記広告情報及び広告配布日時指定情報を、対象顧客の個人情報または広告配布対象条件といった対象顧客特定情報と共に、該当する対象顧客と関連付けられている上記送信元の新聞販売店端末３０へ送信する処理を行う。
【００４０】
広告部数報知部１１０は、当該希望広告を配布するクライアント端末２０に対して、後述する配布広告部数算出部１１１で算出した広告部数情報を知らせる処理を行う。
【００４１】
配布広告部数算出部１１１は、広告配布要求受付部１０５で受け付けた広告配布希望条件に基づき、上記広告情報記憶部１０４を参照して該当する広告部数を算出する処理を行う。
【００４２】
注文情報送信部１１２は、上記注文情報受付部１０７で受け付けた注文情報を、該当するクライアント端末２０へ振り分け送信する処理を行う。
【００４３】
広告受付テンプレート発行部１１３は、クライアント端末２０からの広告配布依頼に応じて所定のテンプレートを提供する処理を行う。
また、テンプレートは顧客端末４０からの希望カタログ広告要求を受け付ける場合に用いても良い。
【００４４】
配布見込み情報送信部１１４は、後述する対象顧客特定部１１５で特定した該当対象顧客に対応する広告配布部数を配布見込み情報として、上記クライアント端末２０へ送信する処理を行う。
また、配布見込み情報送信部１１４は、上記広告配布部数を、顧客の個人情報に関連付けられた新聞販売店情報と共に配布見込み情報として上記クライアント端末２０へ送信する処理を行うようにすることも出来る。
【００４５】
対象顧客特定部１１５は、広告配布問合せ受付部１０３で受け付けた広告配布対象条件に基づき、上記顧客情報記憶部１０２に記憶された顧客情報ファイル６０を参照して該当する対象顧客を特定する処理を行う。
【００４６】
識別広告情報送信部１１６は、広告情報閲覧部１０８により出力されたカタログ広告情報の中から、前記顧客端末４０より要求されたカタログ広告情報に、当該顧客及びカタログ商品の判別が可能な識別情報、及び商品注文数量の指定が可能な選択情報を付加し、当該顧客端末４０7にて出力可能に送信する処理を行う。
【００４７】
広告配布者特定部１１７は、広告の配布を受ける顧客の住所情報または固定電話番号情報に基づき、上記顧客情報記憶部１０２を参照して該当する顧客居住地域を担当する広告配布者を特定する処理を行う。
【００４８】
希望広告情報送信部１１８は、特定された広告配布者の新聞販売店者端末へ配布希望のあった広告情報を送信する処理を行う。
【００４９】
また、クライアント端末２０は、図２に示すように、広告配布問合せ部２０１と、配布見込み情報受付部２０２と、広告配布依頼部２０３とを具備する。なお、クライアント端末２０は、図示しないが、通常のパーソナルコンピュータのように中央処理装置（ＣＰＵ）、メモリ、二次記憶装置、キーボード等の入力装置、及びディスプレイ等の出力装置を含んでいて、ＯＳ（オペレーティング・システム）とブラウザとを有する。
【００５０】
広告配布問合せ部２０１は、広告の配布を希望する企業等の広告配布対象条件の入力を受け付け、上記広告代理店サーバ１０に対して送信する処理を行う。
この広告配布対象条件は、企業が顧客獲得のために広告を配布する際に、全ての人に画一的に配布するのではなく、どのような属性を有している人に配布して欲しいのか対象者を絞り込むための条件をいう。
この広告配布対象条件は、上記顧客情報記憶部１０２に含まれている情報を言い、例えば、顧客の年齢や性別、広告配布地域といった顧客の客観的な属性情報に基づく条件の他、メガネを掛けている人とか、自家用車を持っている人、ロングヘアの人といった第三者が顧客を見て評価判断した主観的な属性情報に基づく条件を言う。
【００５１】
そして、この広告配布対象条件は、広告代理店サーバ１０に対して広告配布を依頼する所定の意思表示を行うことに伴って、上記広告代理店サーバ１０より送られたテンプレートに記入することにより行うようにしても良い。
また、広告配布対象条件には、広告の配布状態を指定する広告配布ランク付け情報がさらに含まれる。この広告配布ランク付けとは、たとえば、新聞の折り込み広告として配布する、戸別ポスティング広告として配布する（他の広告とは別に単独で行う）、（集金業務等を利用し）訪問して手渡して広告として配布する、といった顧客に対して広告を確実に提供できる確立の高い広告の提供方法を言う。
【００５２】
配布見込み情報受付部２０２は、上記広告配布対象条件の送信に応じて上記広告代理店サーバ１０から送られた少なくとも該当配布部数を含む広告の配布見込み情報を受け付ける処理を行う。
また、広告の配布見込み情報には、該当配布部数と共に該当対象顧客に関連付けられた広告配布者情報が含まれる場合もある。
なお、該当配布部数以外の広告の配布見込み情報としては、例えば、該当顧客の住所や氏名等の個人情報や、広告の配布を担当する広告配布者の住所や情報送信先等の広告配布者情報がある。
【００５３】
広告配布依頼部２０３は、上記広告の配布見込み情報の受け付けに応じて、配布を依頼する広告情報を入力すると共に、広告の配布日時を指定し、上記広告代理店サーバ１０に対して広告の配布を依頼する処理を行う。
この場合、広告情報も広告代理店サーバ１０に対して広告配布を依頼する所定の意思表示を行うことに伴って、上記広告代理店サーバ１０より送られたテンプレートに入力することにより行うようにしても良い。
【００５４】
また、広告配布依頼部２０３は、上記広告の配布見込み情報の受け付けに応じて、配布を依頼する広告情報を入力すると共に、広告の配布日時を指定し、先に入力した広告配布対象条件を、配布見込み情報受付部２０２で受け付けた該当対象顧客に関連付けられた広告配布者である新聞販売店端末３０に送信して広告の配布を依頼する処理を行うようにすることも出来る。
さらに、広告配布依頼部２０３は、顧客側から識別情報及び選択情報を注文情報として取得し、前記広告代理店サーバ１０へ送信する処理を行う。
【００５５】
また、新聞販売店端末３０は、図２に示すように、顧客情報入力部３０１と、広告配布依頼受付部３０２と、対象顧客家庭特定部３０３と、顧客家庭情報記憶部３０４と、顧客情報送信部３０５と、商品注文部３０６とを具備する。
この新聞販売店端末３０もまた、図示しないが通常のパーソナルコンピュータのように中央処理装置（ＣＰＵ）、メモリ、二次記憶装置、キーボード等の入力装置、及びディスプレイ等の出力装置を含んでいて、ＯＳ（オペレーティング・システム）とブラウザとを有する。なお、この新聞販売店端末３０は、広告の配布等に伴って携帯できるものとしても良い。
【００５６】
顧客情報入力部３０１は、少なくとも各顧客の住所情報または固定電話番号情報を含む個人情報を入力する処理を行う。
この個人情報は、既に述べたように、顧客の客観的な属性情報の他、第三者（すなわち、新聞販売店の広告配布者）が顧客を見て評価判断した主観的な属性情報を言う。
【００５７】
広告配布依頼受付部３０２は、上記広告代理店サーバ１０から送られた広告配布依頼のあった広告情報、広告配布日時指定情報、及び対象顧客特定情報を受け付ける処理を行う。
また、広告配布依頼受付部３０２は、上記クライアント端末２０から送られた広告配布依頼のあった広告情報と広告の配布日時指定情報と広告配布対象条件とからなる広告の配布依頼を受け付ける処理を行うようにしても良い。
【００５８】
対象顧客家庭特定部３０３は、上記広告配布依頼受付部３０２で受け付けた対象顧客特定情報に基づき、後述する顧客家庭情報記憶部３０４を参照して該当する対象顧客が含まれる顧客家庭を特定する処理を行う。
【００５９】
顧客家庭情報記憶部３０４は、上記顧客情報部３０１で入力された顧客の住所情報または固定電話番号情報に基づき、同じ住所情報または固定電話番号情報を有する顧客同士を同居する家族と見なし、顧客家庭情報としてそれぞれ互いに関連付けてデータベース化して記憶するものである。この顧客家庭情報は、たとえば図２０に示す顧客家庭情報ファイル７０のような形で顧客家庭情報記憶部３０４に記憶することが出来る。
この顧客家庭情報ファイル７０には、広告を受け取る顧客ごとに付与される固有のＩＤ番号（顧客ID）や、その氏名、住所、固定電話番号、及び同じ住所情報または固定電話番号情報を有する顧客同士を同居する家族と見なして付与された固有のＩＤ番号（家庭ID）といった情報を記憶する蘭がそれぞれ設けられている。
【００６０】
顧客情報送信部３０５は、上記顧客情報入力部３０１で入力した各顧客の個人情報を上記広告代理店サーバ１０へ送信する処理を行う。
【００６１】
商品注文部３０６は、顧客側から識別情報及び選択情報を注文情報として取得し、前記広告代理店サーバへ送信する処理を行う。
この注文情報の取得は、紙媒体または玄関前など所定の場所に設置された表示部に出力された注文情報を読み取るようにする。
【００６２】
さらに、顧客端末４０は、図２に示すように、広告配布要求部４０１と、広告閲覧要求部４０２と、広告表示部４０３と、識別広告情報出力部４０４とを具備する。なお、顧客端末４０もまた、図示しないが通常のパーソナルコンピュータのように中央処理装置（ＣＰＵ）、メモリ、二次記憶装置、キーボード等の入力装置を含んでいて、ＯＳ（オペレーティング・システム）とブラウザとを有する。
【００６３】
広告配布要求部４０１は、顧客が配布を希望する広告の広告配布希望条件を入力し、上記広告代理店サーバ１０へ送信する。
この広告配布希望条件とは、顧客が入手したい広告を指定して配布してもらうための条件を言い、たとえば、引越しを検討している人がその引越し先地域のスーパーマーケットやスポーツクラブ、学習塾などの地域情報を入手したい場合に利用するものである。
そして、この広告配布希望条件も、広告配布対象条件の場合と同様に、広告代理店サーバ１０に対して広告配布を依頼する所定の意思表示を行うことに伴って、上記広告代理店サーバ１０より送られたテンプレートに記入することにより行うようにしても良い。
【００６４】
広告閲覧要求部４０２は、カタログ広告情報の閲覧を前記広告代理店サーバ１０に対して要求する処理を行う。
【００６５】
広告表示部４０３は、広告閲覧要求部４０２でのカタログ広告情報の閲覧要求に応じて出力された広告情報を閲覧可能に表示する処理を行う。
【００６６】
識別広告情報出力部４０４は、表示された広告情報の中から所望の広告情報を選択し、当該選択広告情報を、当該顧客及び商品の判別が可能な識別情報、及び注文数量の指定が可能な選択情報を付加して出力する処理を行う。なお、判別が可能な識別情報とは、例えば、バーコードやＱＲコードなどのコード化された情報を言う。
そして、識別広告情報の出力は、カタログ広告情報を紙媒体で出力するようにしても良いし、玄関前など所定の場所に設置された表示部に出力するようにしても良い。要は、カタログ広告情報に記載された商品の購入を希望する際に、新聞販売店端末３０によってその注文情報が取得されるようにできれば良い。
【００６７】
次に、上述したシステムにより実行される本発明の第一の実施の形態として、企業等が狙ったターゲットに広告を配布する場合について説明する。そして、この際の情報の一連の流れは、一例として図３のように示すことが出来る。
【００６８】
まず、予め新聞販売店端末３０にて、少なくとも各顧客の住所情報または固定電話番号情報を含む顧客個人情報を入力する（図３（１）参照）。
新聞販売店端末３０より入力された顧客個人情報は、その情報の中に含まれる住所情報または固定電話番号情報に基づき、同じ住所情報または固定電話番号情報を有する顧客同士を同居する家族と見なし、顧客家庭情報としてそれぞれ互いに関連付けて顧客家庭情報記憶部３０４に記憶する（図３（２）参照）。
また、新聞販売店端末３０は、この顧客個人情報を広告代理店サーバ１０へ送信する（図３（３）参照）。
【００６９】
次いで、広告代理店サーバ１０では、新聞販売店端末３０より送られた各顧客の個人情報を受け付ける（図３（４）参照）。
広告代理店サーバ１０にて受け付けた各顧客の個人情報を、送信元の新聞販売店情報と互いに関連付けて顧客情報記憶部１０２に記憶する（図３（５）参照）。
以上、ここまでは後述する何れの実施形態においても要する。
【００７０】
そして、企業等が、例えば４０歳代の女性へ化粧品の広告を配布したい場合や、自家用車を所有している人へ自動車保険の広告を配布したい場合、クライアント端末２０にて、「４０歳代」、「女性」といった広告の配布を希望する広告配布対象条件や、「自家用車所有」といった広告配布対象条件を入力する（図３（６）参照）。
引き続きクライアント端末２０では、入力されたこの広告配布対象条件を、広告代理店サーバ１０に対して送信する（図３（７）参照）。
【００７１】
次いで、広告代理店サーバ１０では、クライアント端末から送られた広告配布対象条件を受け付ける（図３（８）参照）。この際、広告代理店サーバ１０では、広告配布対象条件の受け付けに応じて自動的に受付番号を付与する。
広告代理店サーバ１０では、受け付けた広告配布対象条件に基づき、上記顧客情報記憶部１０２を参照して該当する対象顧客を特定し、各新聞販売店３０での対象顧客数を算出する（図３（９）参照）。また、この際、広告を新聞の折り込み広告として配布する以外の広告配布ランク付け情報、例えば他の広告とは別に戸別ポスティング広告として単独で配布する提供手段や、集金業務等を利用し訪問して手渡しで広告を配布する提供手段が指定されている場合は、必要な広告配布部数を算出する（図３（９）参照）。
そして、算出した該当対象顧客数もしくは該当対象顧客に対応する広告配布部数を配布見込み情報として、この配布見込み情報を、広告配布対象条件の受け付けに伴って自動的に付与した受付番号と共にクライアント端末２０へ送信する（図３（１０）参照）。
【００７２】
次いで、クライアント端末２０では、広告配布対象条件の送信に応じて広告代理店サーバ１０から送られた広告の配布見込み情報を受け付ける（図３（１１）参照）。
ここで、クライアント端末２０からの要求により、企業等では分からないが新聞販売店では分かるように暗号化された顧客個人情報を広告代理店サーバ１０からクライアント端末２０へ送信するようにしても良い（図３（１２）参照）。
【００７３】
広告配布見込み情報を受け付けつけた企業等では、該当対象顧客数もしくは該当対象顧客に対応する広告配布部数をみて、このままの条件（先に入力した広告配布対象条件）で広告の配布を希望する場合は、この広告配布見込み情報の受け付けに応じて、配布を依頼する広告情報を入力すると共に広告の配布日時を指定する（図３（１３）参照）。
そして、引き続きクライアント端末２０より、受付番号と共に広告情報と指定した広告配布日時情報を広告代理店サーバ１０に対して送信して広告の配布を依頼する（図３（１４）参照）。
この際、広告代理店サーバ１０から暗号化された顧客個人情報が送られている場合は、クライアント端末２０より、指定された広告配布対象条件と共に、広告情報と指定した広告配布日時情報と暗号化された顧客個人情報を新聞販売店端末３０に対して送信して広告の配布を依頼するようにしても良い（図３（１４）参照）。
【００７４】
また、広告代理店サーバ１０は、クライアント端末２０より送られた広告情報と指定した広告配布日時情報を有する広告配布依頼を受け付ける（図３（１５）参照）。
広告代理店サーバ１０では、受け付けた受付番号を基に顧客個人情報を特定し、指定された広告配布対象条件と共に、広告情報と指定した広告配布日時情報、及び特定した顧客個人情報を、該当する対象顧客と関連付けられている新聞販売店端末３０へ広告配布依頼として送信する（図３（１６）参照）。
【００７５】
新聞販売店端末３０は、クライアント端末２０より直接送られた広告配布依頼または広告代理店サーバ１０を介して送られた広告配布依頼を受け付ける（図３（１７）参照）。
そして、新聞販売店端末３０では、受け付けた対象顧客特定情報に基づき、顧客家庭情報記憶部３０４を参照して該当する対象顧客が含まれる顧客家庭を特定する（図３（１８）参照）。
なお、広告配布依頼に対象顧客特定情報が含まれていない場合、新聞販売店端末３０は、広告代理店サーバ１０に対して対象顧客特定情報を問合せ、その後に顧客家庭情報記憶部３０４を参照して該当する対象顧客が含まれる顧客家庭を特定する。また、この場合も広告配布対象条件の受付けに応じて付与された受付番号を基に対象顧客特定情報を問合せるものとする。したがって、受付番号は情報の流れに伴って付随して用いられる。
【００７６】
その後、新聞販売店では、特定した顧客家庭に対して、指定された広告配布ランク付け情報に基づいて、広告を配布する。
【００７７】
次に、以上のような構成の戸別広告配布システムにおける広告代理店サーバ１０での動作の一例を説明する。図４は、その流れを示すフローチャート図である。
まず、広告代理店サーバ１０では、どこからの情報であるか識別するために識別ＩＤの受付有無を判別する（Ｓ１０１）。
その結果、識別ＩＤを受け付けた場合（Ｙ）は、引き続き顧客情報受付部１０１にて新聞販売店端末３０からの顧客情報の受付有無を判別する（Ｓ１０２）。
一方、識別ＩＤを受け付けない場合（Ｎ）は、再度識別ＩＤの受付可否を判別する処理を繰り返す（Ｓ１０１）。なお、この際、識別ＩＤを発行するための操作を促すようにしても良い。
【００７８】
次いで、顧客情報の受付有無の判別の結果、顧客の個人情報を受け付けた場合（Ｙ）は、顧客情報受付部１０１で受け付けた各顧客の個人情報を、送信元の広告配布者情報と互いに関連付けて顧客情報記憶部１０２に記憶する（Ｓ１０３）。
【００７９】
そして、広告代理店サーバ１０では、引き続き広告配布問合せ部１０３にてクライアント端末２０からの広告の配布を希望する広告配布対象条件を受け付けるための広告配布問合せ有無を判別する（Ｓ１０４）。
一方、顧客情報の受付有無の判別の結果、顧客の個人情報を受け付けていない場合（Ｎ）は、引き続き広告配布問合せ部１０３にて広告の配布を希望する広告配布対象条件の受け付けにより広告配布問合せ有無を判別する（Ｓ１０４）。
【００８０】
その結果、広告配布問合せを受け付けた場合（Ｙ）は、広告の配布を希望する広告配布対象条件を受け付けるための広告配布依頼用のテンプレートを広告受付テンプレート発行部１１３にて発行し、問い合わせのあったクライアント端末２０へ送信する（Ｓ１０５）。
一方、広告配布問合せを受け付けていない場合（Ｎ）は、再度広告配布問合せ有無を判別する処理を繰り返す（Ｓ１０４）。
【００８１】
次いで、広告代理店サーバ１０では、広告配布依頼用のテンプレートの送信に応じて、広告配布問合せ部１０３にてクライアント端末２０からの広告配布対象条件の受け付け有無を判別する（Ｓ１０６）。
その結果、広告配布対象条件を受け付けた場合（Ｙ）は、広告配布問合せ受付部１０３にて受け付けた広告配布対象条件に基づき、上記顧客情報記憶部１０２を参照して該当する対象顧客を対象顧客特定部１１５にて特定する（Ｓ１０７ａ）。
一方、広告配布対象条件を受け付けていない場合（Ｎ）は、再度広告配布対象条件の受け付け有無を判別する処理を繰り返す（Ｓ１０６）。
【００８２】
広告代理店サーバ１０では、該当する対象顧客を特定した後、該当対象顧客に対応する広告配布部数を配布見込み情報として、配布見込み情報送信部１１４より上記クライアント端末２０へ送信する（Ｓ１０８）。
この際、広告代理店サーバ１０では、該当する対象顧客を特定した後、必要に応じて対象顧客に対して広告を配布する新聞販売店端末３０を特定する場合もある（Ｓ１０７ｂ）。
【００８３】
その後、上記クライアント端末２０が直接新聞販売店端末３０に対して広告の配布依頼を行う場合は、そのまま一連の処理を終了（エンド）するが、広告代理店サーバ１０では、上記配布見込み情報の送信に応じて上記クライアント端末２０から広告の配布依頼があるか受付有無を判別する場合もある（Ｓ１０９ａ）。
【００８４】
そして、クライアント端末２０より広告情報及び広告配布日時指定情報を広告の配布依頼として広告配布依頼部１０９にて受け付けた場合（Ｙ）は、受け付けた上記広告情報及び広告配布日時指定情報を対象顧客特定情報と共に、該当する対象顧客と関連付けられている上記（Ｓ１０７ｂで）特定した新聞販売店端末３０へ広告配布依頼部１０９より送信する（Ｓ１０９ｂ）。
一方、広告配布依頼を受け付けていない場合（Ｎ）は、そのまま一連の処理を終了（エンド）する。
【００８５】
次に、同戸別広告配布システムにおけるクライアント端末２０での動作の一例を説明する。図５は、その流れを示すフローチャート図である。
まず、広告代理店サーバ１０に対して、広告配布問合せ部２０１より広告配布の問合せを行い、その結果返送された広告配布依頼用のテンプレートに対して、広告配布問合せ部２０１より識別ＩＤ及び、例えば「４０歳代」、「女性」といった広告の配布を希望する広告配布対象条件や、「自家用車所有」といった広告配布対象条件を入力し、広告代理店サーバ１０へ送信する（Ｓ１１１）。
【００８６】
次いで、上記広告配布対象条件の送信に応じて広告代理店サーバ１０から送られた少なくとも該当配布部数を含む広告の配布見込み情報を配布見込み情報受付部２０２にて受け付ける（Ｓ１１２）。
次いで、先に入力した広告配布対象条件で広告の配布を依頼するか、この条件を変更するか、広告の配布を取消すか、判別する（Ｓ１１３）。
【００８７】
その結果、このままの条件で広告の配布を依頼する場合は、広告配布依頼部２０３より広告代理店サーバ１０に対して対象顧客情報を要求し、広告代理店サーバ１０より対象顧客情報を受け付ける（Ｓ１１４）。
そして、引き続き配布を依頼する広告情報を入力すると共に広告の配布日時を指定し、さらに対象顧客情報を添付して、所望の新聞販売店端末３０へ送信し、広告の配布を依頼する（Ｓ１１５）。これにより、クライアント端末２０での一連の処理を終了（エンド）する。
なお、この際、このままの条件で広告の配布を依頼する場合は、広告情報を入力すると共に広告の配布日時を指定し、広告代理店サーバ１０に対して広告の配布を依頼する場合もある（Ｓ１１６）。
【００８８】
また、判別の結果、先に入力した広告配布対象条件を変更する場合は、再度広告配布問合せ部２０１より識別ＩＤ及び広告配布対象条件を入力し、広告代理店サーバ１０へ送信する処理を繰り返す（Ｓ１１１）。
さらに、判別の結果、広告の配布を取消す場合は、そのまま一連の処理を終了（エンド）する。
【００８９】
次に、同戸別広告配布システムにおける新聞販売店端末３０での動作の一例を説明する。図６は、その流れを示すフローチャート図である。
まず、少なくとも各顧客の住所情報または固定電話番号情報を含む個人情報を顧客情報入力部３０１より入力すると共に、この顧客情報を顧客情報送信部３０５より広告代理店サーバ１０に対して送信する（Ｓ１２１）。
次いで、上記顧客情報入力部３０１で入力された個人情報の住所情報または固定電話番号情報に基づき、同じ住所情報または固定電話番号情報を有する顧客同士を同居する家族と見なし、顧客家庭情報としてそれぞれ互いに関連付けて顧客家庭情報記憶部３０４に記憶する（Ｓ１２２）。
【００９０】
次いで、広告代理店サーバ１０より送られた広告の配布依頼を受け付けたか否かその有無を判別する（Ｓ１２３）。
その結果、広告情報、広告配布日時指定情報、及び対象顧客特定情報を広告配布依頼として広告配布依頼受付部３０２にて受け付けた場合（Ｙ）は、受け付けた対象顧客特定情報に基づき、上記顧客家庭情報記憶部３０４を参照して該当する対象顧客が含まれる顧客家庭を対象顧客家庭特定部３０３にて特定する（Ｓ１２４）。これにより、新聞販売店端末３０での一連の処理を終了（エンド）する。
【００９１】
以上により、企業等が新聞販売店網を利用して所望のターゲットに対して広告を配布する提供手段を選別して効果的に広告を配布することが出来る。
また、予めテンプレートを用意して、このテンプレートに広告情報を入力するようにすれば、統一した規格の広告を作成して所望の新聞販売店端末にて出力（印刷）することが出来、仕入れの状況により緊急にセールをやりたい場合や、客足の鈍りですぐに広告を出したい場合など、即時効果の望める簡易広告として利用することが出来る。
【００９２】
次に、上述したシステムにより実行される本発明の第二の実施の形態として、企業等が遠隔地の新聞販売店により広告を配布することを希望する場合について説明する。そして、この際の情報の一連の流れは、一例として図７のように示すことが出来る。
【００９３】
まず、予め各新聞販売店端末３０Ａ，３０Ｂにて、少なくとも各顧客の住所情報または固定電話番号情報を含む顧客個人情報を入力する（図７（２１Ａ），（２１Ｂ）参照）。
各新聞販売店端末３０Ａ，３０Ｂよりそれぞれ入力された顧客個人情報は、その情報の中に含まれる住所情報または固定電話番号情報に基づき、同じ住所情報または固定電話番号情報を有する顧客同士を同居する家族と見なし、顧客家庭情報としてそれぞれ互いに関連付けてそれぞれ顧客家庭情報記憶部３０４に記憶する（図７（２２Ａ），（２２Ｂ）参照）。
また、各新聞販売店端末３０Ａ，３０Ｂは、この顧客個人情報を広告代理店サーバ１０へそれぞれ送信する（（図７（２３Ａ），（２３Ｂ）参照）。
【００９４】
次いで、広告代理店サーバ１０では、各新聞販売店端末３０，３０Ｂより送られた各顧客の個人情報をそれぞれ受け付ける（図７（２４）参照）。
広告代理店サーバ１０にて受け付けた各顧客の個人情報を、送信元の各新聞販売店情報と互いに関連付けて顧客情報記憶部１０２に記憶する（図７（２５）参照）。
【００９５】
そして、新聞販売店Ａの配布地域にある企業等が、例えば新聞販売店Ｂの配布地域に広告を配布したい場合、クライアント端末２０にて、所望の広告配布地域情報と共に広告の配布を希望する広告配布対象条件を入力する（図７（２６）参照）。
引き続きクライアント端末２０では、入力されたこの広告配布対象条件を、広告代理店サーバ１０に対して送信する（図７（２７）参照）。
【００９６】
次いで、広告代理店サーバ１０では、クライアント端末から送られた広告配布対象条件を受け付ける（図７（２８）参照）。この際、広告代理店サーバ１０では、広告配布対象条件の受け付けに応じて自動的に受付番号を付与する。
広告代理店サーバ１０では、受け付けた広告配布対象条件に基づき、上記顧客情報記憶部１０２を参照して該当する対象顧客を特定し、所望の広告配布地域の新聞販売店Ｂでの対象顧客数を算出する（図７（２９）参照）。また、この際、広告を新聞の折り込み広告として配布する以外の広告配布ランク付け情報が指定されている場合は、必要な広告配布部数を算出する（図７（２９）参照）。
【００９７】
ここで、広告代理店サーバ１０は、企業等が広告の配布を希望する地域にある新聞販売店Ｂの端末３０Ｂに対して広告配布の許諾を求める（図７（３０）参照）。
これに対し、広告配布の許諾を求められた新聞販売店端末３０Ｂは、広告代理店サーバ１０に対して広告配布可否の回答を通知する（図７（３１）参照）。
【００９８】
そして、広告代理店サーバ１０は、他の地域の新聞販売店端末３０Ｂからの広告配布可回答に応じて、上記特定した該当対象顧客に対応する広告配布部数を、顧客の個人情報に関連付けられた新聞販売店情報と共に配布見込み情報として、広告配布対象条件の受け付けに伴って自動的に付与した受付番号と共にクライアント端末２０へ送信する（図７（３２）参照）。
【００９９】
次いで、クライアント端末２０では、広告配布対象条件の送信に応じて広告代理店サーバ１０から送られた広告の配布見込み情報を受け付ける（図７（３３）参照）。
広告配布見込み情報を受け付けつけた企業等では、該当対象顧客数もしくは該当対象顧客に対応する広告配布部数をみて、このままの条件（先に入力した広告配布対象条件）で広告の配布を希望する場合は、この広告配布見込み情報の受け付けに応じて、配布を依頼する広告情報を入力すると共に広告の配布日時を指定する（図７（３４）参照）。
そして、引き続きクライアント端末２０より、受付番号と共に広告情報と指定した広告配布日時情報を新聞販売店端末３０Ｂに対して直接送信して広告の配布を依頼する（図７（３５）参照）。
この際、図示しないが、受付番号と共に広告情報と指定した広告配布日時情報を、一旦広告代理店サーバ１０に対して送信して広告の配布依頼を行い、広告代理店サーバ１０から所望の地域の新聞販売店端末３０Ｂに対して広告の配布を依頼するようにしても良い。
【０１００】
新聞販売店端末３０Ｂは、クライアント端末２０より直接送られた広告配布依頼（または広告代理店サーバ１０を介して送られた広告配布依頼）を受け付ける（図７（３６）参照）。
そして、新聞販売店端末３０Ｂでは、受け付けた対象顧客特定情報に基づき、顧客家庭情報記憶部３０４を参照して該当する対象顧客が含まれる顧客家庭を特定する（図７（３７）参照）。
なお、広告配布依頼に対象顧客特定情報が含まれていない場合は、図示しないが、新聞販売店端末３０Ｂは、広告代理店サーバ１０に対して対象顧客特定情報を問合せ、その後に顧客家庭情報記憶部３０４を参照して該当する対象顧客が含まれる顧客家庭を特定する。また、この場合も広告配布対象条件の受付けに応じて付与された受付番号を基に対象顧客特定情報を問合せるものとする。したがって、受付番号は情報の流れに伴って付随して用いられる。
【０１０１】
その後、新聞販売店では、特定した顧客家庭に対して、指定された広告配布ランク付け情報に基づいて、広告を配布する。
【０１０２】
次に、以上のような構成の戸別広告配布システムにおける広告代理店サーバ１０での動作の一例を説明する。図８は、その流れを示すフローチャート図である。
まず、広告代理店サーバ１０では、どこからの情報であるか識別するために識別ＩＤの受付有無を判別する（Ｓ２０１）。
その結果、識別ＩＤを受け付けた場合（Ｙ）は、引き続き顧客情報受付部１０１にて新聞販売店端末３０Ａ（または３０Ｂ）からの顧客情報の受付有無を判別する（Ｓ２０２）。
一方、識別ＩＤを受け付けない場合（Ｎ）は、再度識別ＩＤの受付可否を判別する処理を繰り返す（Ｓ２０１）。なお、この際、識別ＩＤを発行するための操作を促すようにしても良い。
【０１０３】
次いで、顧客情報の受付有無の判別の結果、顧客の個人情報を受け付けた場合（Ｙ）は、顧客情報受付部１０１で受け付けた各顧客の個人情報を、送信元の新聞販売店情報と互いに関連付けて顧客情報記憶部１０２に記憶する（Ｓ２０３）。
【０１０４】
そして、広告代理店サーバ１０では、引き続き広告配布問合せ部１０３にてクライアント端末２０からの広告配布対象条件の受け付け有無を判別する（Ｓ２０４）。
その結果、広告配布対象条件を受け付けた場合（Ｙ）は、広告配布問合せ受付部１０３にて受け付けた広告配布対象条件に基づき、上記顧客情報記憶部１０２を参照して該当する対象顧客を対象顧客特定部１１５にて特定する（Ｓ２０５）。
一方、広告配布対象条件を受け付けていない場合（Ｎ）は、再度広告配布対象条件の受け付け有無を判別する処理を繰り返す（Ｓ２０４）。
【０１０５】
また、広告代理店サーバ１０では、広告配布依頼のあった企業が属する地域の新聞販売店が担当する広告配布地域情報に含まれない他の地域からの広告配布依頼に応じて、該当する広告配布希望地域の新聞販売店を、上記顧客情報記憶部１０２を参照して特定する（Ｓ２０６）。
広告代理店サーバ１０では、該当する新聞販売店が特定されたら、引き続き特定した該当地域の新聞販売店の端末３０Ｂに対して広告配布の許諾を広告配布許諾申請部１０６にて求める（Ｓ２０７）。
【０１０６】
次いで、広告代理店サーバ１０では、上記他の地域の広告配布者端末３０Ｂからの広告配布許諾回答の受け付け有無を判別する（Ｓ２０８）。
その結果、広告配布者端末３０Ｂからの広告配布可回答を受け付けた場合（Ｙ）は、上記対象顧客特定部１１５で特定した該当対象顧客に対応する広告配布部数を、顧客の個人情報に関連付けられた広告配布者情報と共に配布見込み情報として配布見込み情報送信部１１４よりクライアント端末２０へ送信する（Ｓ２０９）。これにより、広告代理店サーバ１０での一連の処理を終了（エンド）する。
【０１０７】
一方、広告配布者端末３０Ｂからの広告配布可回答を受け付けない場合（Ｎ）は、配布見込み情報送信部１１４よりクライアント端末２０へ広告配布許諾回答が得られない旨の通知を行い（Ｓ２１０）、そのまま一連の処理を終了（エンド）する。
【０１０８】
次に、同戸別広告配布システムにおけるクライアント端末２０での動作の一例を説明する。図９は、その流れを示すフローチャート図である。
まず、広告代理店サーバ１０に対して、広告配布問合せ部２０１より広告配布の問合せを行い、その結果返送された広告配布依頼用のテンプレートに対して、広告配布問合せ部２０１より識別ＩＤ及び、広告の配布を希望する広告配布対象条件や、広告の配布を希望する地域条件を入力し、広告代理店サーバ１０へ送信する（Ｓ２１１）。
【０１０９】
次いで、上記広告配布対象条件の送信に応じて広告代理店サーバ１０から送られた少なくとも該当配布部数を含む広告の配布見込み情報を配布見込み情報受付部２０２にて受け付ける（Ｓ２１２）。
次いで、先に入力した広告配布対象条件で広告の配布を依頼するか、この条件を変更するか、広告の配布を取消すか、判別する（Ｓ２１３）。
【０１１０】
その結果、このままの条件で広告の配布を依頼する場合は、広告配布依頼部２０３より広告代理店サーバ１０に対して対象顧客情報を要求し、広告代理店サーバ１０より対象顧客情報、配布希望地域の新聞販売店端末３０Ｂの情報を受け付ける（Ｓ２１４）。
そして、引き続き配布を依頼する広告情報を入力すると共に広告の配布日時を指定し、さらに対象顧客情報を添付して、所望の新聞販売店端末３０Ｂへ送信し、広告の配布を依頼する（Ｓ２１５）。これにより、クライアント端末２０での一連の処理を終了（エンド）する。
なお、この際、このままの条件で広告の配布を依頼する場合は、広告情報を入力すると共に広告の配布日時を指定し、広告代理店サーバ１０に対して広告の配布を依頼し、広告代理店サーバ１０から所望の新聞販売店端末３０Ｂ広告の配布を依頼するようにしても良い。
【０１１１】
また、判別の結果、先に入力した広告配布対象条件を変更する場合は、再度広告配布問合せ部２０１より識別ＩＤ及び広告配布対象条件を入力し、広告代理店サーバ１０へ送信する処理を繰り返す（Ｓ２１１）。
さらに、判別の結果、広告の配布を取消す場合は、そのまま一連の処理を終了（エンド）する。
【０１１２】
次に、同戸別広告配布システムにおける所望の広告配布地域の新聞販売店端末３０Ｂでの動作の一例を説明する。図１０は、その流れを示すフローチャート図である。
まず、少なくとも各顧客の住所情報または固定電話番号情報を含む個人情報を顧客情報入力部３０１より入力すると共に、この顧客情報を顧客情報送信部３０５より広告代理店サーバ１０に対して送信する（Ｓ２２１）。
次いで、上記顧客情報入力部３０１で入力された個人情報の住所情報または固定電話番号情報に基づき、同じ住所情報または固定電話番号情報を有する顧客同士を同居する家族と見なし、顧客家庭情報としてそれぞれ互いに関連付けて顧客家庭情報記憶部３０４に記憶する（Ｓ２２２）。
【０１１３】
次いで、広告代理店サーバ１０より送られた広告配布許諾依頼を受け付けたか否かその有無を判別する（Ｓ２２３）。
その結果、広告配布許諾依頼を受け付けた（Ｙ）場合は、上記広告代理店サーバ１０に対して広告配布ＯＫの回答を通知したか否かを判別する（Ｓ２２４）。
一方、広告配布許諾依頼を受け付けてない（Ｎ）場合は、再度広告配布許諾依頼を受け付けたか否かその有無を判別する処理を繰り返す（Ｓ２２３）。
【０１１４】
次いで、上記広告配布許諾依頼に応じて、配布ＯＫの回答を通知したか否かの判別の結果、配布ＯＫの回答を通知した（Ｙ）場合は、引き続きクライアント端末から送られた広告情報と広告の配布日時指定情報と広告配布対象条件とからなる広告の配布依頼を広告配布依頼受付部３０２にて受け付けたか否か判別する（Ｓ２２５）。
【０１１５】
その結果、広告の配布依頼を受け付けた（Ｙ）場合は、広告配布依頼受付部３０２で受け付けた広告配布対象条件に基づき、前記顧客家庭情報記憶部３０４を参照して該当する対象顧客が含まれる顧客家庭を対象顧客家庭特定部３０３にて特定する（Ｓ２２６）。これにより、新聞販売店端末３０での一連の処理を終了（エンド）する。
一方、広告の配布依頼を受け付けていない（Ｎ）場合は、再度広告の配布依頼を受け付けたか否か判別する処理を繰り返す（Ｓ２２５）。
【０１１６】
また、配布ＯＫの回答を通知していない（Ｎ）場合は、広告配布許諾依頼を受け付けて一定期間経過したか否かを判別する（Ｓ２２７）。
その結果、一定期間経過した（Ｙ）場合は、そのまま新聞販売店端末３０での一連の処理を終了（エンド）する。
一方、一定期間経過していない場合（Ｎ）は、再度広告配布ＯＫの回答を通知したか否かを判別する処理を送り返す（Ｓ２２４）。
【０１１７】
以上により、企業等は新聞販売店網を利用することで、遠隔地でも所望の地域に対して、広告を配布する提供手段を選別して効果的に広告を配布することが出来る。
【０１１８】
次に、上述したシステムにより実行される本発明の第三の実施の形態として、顧客が遠隔地に配布されている広告を取得することを希望する場合について説明する。そして、この際の情報の一連の流れは、一例として図１１のように示すことが出来る。
【０１１９】
まず、予め新聞販売店端末３０にて、少なくとも各顧客の住所情報または固定電話番号情報を含む顧客個人情報を入力する（図１１（４１）参照）。
新聞販売店端末３０より入力された顧客個人情報は、その情報の中に含まれる住所情報または固定電話番号情報に基づき、同じ住所情報または固定電話番号情報を有する顧客同士を同居する家族と見なし、顧客家庭情報としてそれぞれ互いに関連付けて顧客家庭情報記憶部３０４に記憶する（図１１（４２）参照）。
また、新聞販売店端末３０は、この顧客個人情報を広告代理店サーバ１０へ送信する（図１１（４３）参照）。
【０１２０】
次いで、広告代理店サーバ１０では、新聞販売店端末３０より送られた各顧客の個人情報を受け付ける（図１１（４４）参照）。
広告代理店サーバ１０にて受け付けた各顧客の個人情報を、送信元の新聞販売店情報と互いに関連付けて顧客情報記憶部１０２に記憶する（図１１（２５）参照）。
【０１２１】
そして、新聞販売店Ａの配布地域の顧客が、例えば新聞販売店Ｂの配布地域に配布されている広告を取得したい場合、顧客端末４０にて、所望の地域及びジャンルの広告の配布を希望する広告配布希望条件を入力する（図１１（４６）参照）。
この際、顧客端末４０は、広告代理店サーバ１０に対して広告配布希望条件入力用のテンプレートを要求し、この要求に応じて送信されたテンプレートに所望の広告配布希望条件を入力するようにしても良い。
そして、顧客端末４０では、引き続き入力されたこの広告配布希望条件を、広告代理店サーバ１０に対して送信する（図１１（４７）参照）。
【０１２２】
次いで、広告代理店サーバ１０では、顧客端末４０から送られた広告配布希望条件を受け付ける（図１１（４８）参照）。この際、広告代理店サーバ１０では、広告配布希望条件の受け付けに応じて自動的に受付番号を付与する。
広告代理店サーバ１０では、受け付けた広告配布希望条件に基づき、広告情報記憶部１０４を参照して該当する増加分の広告配布部数を算出する（図１１（４９）参照）。
そして、算出した該当広告配布部数をクライアント端末２０へ送信し、広告配布の希望が有ったことを報知する（図１１（５０）参照）。
【０１２３】
次いで、クライアント端末２０では、該当広告配布部数を伴う広告配布希望の報知に応じて、広告代理店サーバ１０に対して広告配布部数増加の了解回答を送信する（図１１（５１）参照）。
そして、広告代理店サーバ１０では、クライアント端末２０からの了解回答を受け、顧客情報記憶部１０２を参照して該当する顧客に対して広告を配布する新聞販売店を特定する（図１１（５２）参照）。
新聞販売店が特定されると、広告代理店サーバ１０は、顧客が希望する他の配布地域の広告情報を、希望広告配布依頼として特定した新聞販売店端末３０へ送信する（図１１（５３）参照）。
【０１２４】
新聞販売店端末３０は、広告代理店サーバ１０より送られた希望広告配布依頼を受け付ける（図１１（５４）参照）。
そして、新聞販売店端末３０では、受け付けた対象顧客特定情報に基づき、顧客家庭情報記憶部３０４を参照して該当する対象顧客が含まれる顧客家庭を特定する（図１１（５５）参照）。
【０１２５】
その後、新聞販売店では、特定した顧客家庭に対して、指定された広告配布ランク付け情報に基づいて、広告を配布する。
【０１２６】
次に、以上のような構成の戸別広告配布システムにおける広告代理店サーバ１０での動作の一例を説明する。図１２は、その流れを示すフローチャート図である。
まず、広告代理店サーバ１０では、どこからの情報であるか識別するために識別ＩＤの受付有無を判別する（Ｓ３０１）。
その結果、識別ＩＤを受け付けた場合（Ｙ）は、引き続き顧客情報受付部１０１にて新聞販売店端末３０からの顧客情報の受付有無を判別する（Ｓ３０２）。
一方、識別ＩＤを受け付けない場合（Ｎ）は、再度識別ＩＤの受付可否を判別する処理を繰り返す（Ｓ３０１）。なお、この際、識別ＩＤを発行するための操作を促すようにしても良い。
【０１２７】
次いで、顧客情報の受付有無の判別の結果、顧客の個人情報を受け付けた場合（Ｙ）は、顧客情報受付部１０１で受け付けた各顧客の個人情報を、送信元の広告配布者情報と互いに関連付けて顧客情報記憶部１０２に記憶する（Ｓ３０３）。
【０１２８】
そして、広告代理店サーバ１０では、引き続き広告配布要求受付部１０５にて顧客端末４０からの広告配布問合せが有ったか否か判別する（Ｓ３０４）。
一方、顧客の個人情報を受け付けていない場合（Ｎ）は、引き続き広告配布要求受付部１０５にて顧客端末４０からの広告配布問合せが有ったか否かを判別する（Ｓ３０４）。
【０１２９】
広告配布問合せ有無の結果、広告配布の問合せがあった場合（Ｙ）は、広告の配布を希望する広告配布希望条件を受け付けるための希望広告配布用のテンプレートを広告受付テンプレート発行部１１３にて発行し、問い合わせのあった顧客端末４０へ送信する（Ｓ３０５）。
一方、広告配布の問合せを受け付けていない場合（Ｎ）は、再度広告配布の問合せ有無を判別する処理を繰り返す（Ｓ３０４）。
【０１３０】
次いで、広告代理店サーバ１０では、希望広告配布用のテンプレートの送信に応じて、広告配布要求受付部１０５にて顧客端末４０からの広告配布希望条件の受け付け有無を判別する（Ｓ３０６）。
その結果、広告配布希望条件を受け付けた場合（Ｙ）は、広告配布要求受付部１０５にて受け付けた広告配布希望条件に基づき、広告情報記憶部１０４を参照して該当する広告情報を特定すると共に、広告部数を配布広告部数算出部１１１で算出する（Ｓ３０７）。
一方、広告配布希望条件を受け付けていない場合（Ｎ）は、再度広告配布希望条件の受け付け有無を判別する処理を繰り返す（Ｓ３０６）。
【０１３１】
広告代理店サーバ１０では、該当する広告情報を特定した後、該当広告配布部数を、広告部数報知部１１０より当該広告を配布依頼したクライアント端末２０に対して通知する（Ｓ３０８）。
次いで、広告代理店サーバ１０では、上記クライアント端末２０より広告配布の了解回答があったか否か判定する（Ｓ３０９）。
【０１３２】
その結果、上記クライアント端末２０より広告配布の了解回答があった場合（Ｙ）は、引き続き広告の配布を受ける顧客の住所情報または固定電話番号情報に基づき、上記顧客情報記憶部１０２を参照して該当する顧客居住地域を担当する新聞販売店を広告配布者特定部１１７にて特定する（Ｓ３１０）。
一方、上記クライアント端末２０より広告配布の了解回答がない場合（Ｎ）は、そのまま一連の処理を終了（エンド）する。
【０１３３】
そして、顧客に対して広告を配布する新聞販売店が特定されると、特定された新聞販売店端末３０に対して、配布希望のあった広告情報及び顧客情報を希望広告情報送信部１１８より送信する（Ｓ３１１）。これにより、一連の処理を終了（エンド）する。
【０１３４】
次に、同戸別広告配布システムにおける新聞販売店端末３０での動作の一例を説明する。図１３は、その流れを示すフローチャート図である。
まず、少なくとも各顧客の住所情報または固定電話番号情報を含む個人情報を顧客情報入力部３０１より入力する（Ｓ３２１）。
次いで、上記顧客情報入力部３０１で入力された個人情報の住所情報または固定電話番号情報に基づき、同じ住所情報または固定電話番号情報を有する顧客同士を同居する家族と見なし、顧客家庭情報としてそれぞれ互いに関連付けて顧客家庭情報記憶部３０４に記憶する（Ｓ３２２）。
さらに、顧客情報入力部３０１より入力された顧客情報を、顧客情報送信部３０５より広告代理店サーバ１０に対して送信する（Ｓ３２３）。
【０１３５】
次いで、広告代理店サーバ１０より送られた広告情報及び顧客情報を含む希望広告配布依頼を広告配布依頼受付部３０２にて受け付けたか否かその有無を判別する（Ｓ３２４）。
その結果、広告配布依頼受付部３０２にて希望広告配布依頼を受け付けた場合（Ｙ）は、受け付けた顧客情報に基づき、上記顧客家庭情報記憶部３０４を参照して該当する対象顧客が含まれる顧客家庭を対象顧客家庭特定部３０３にて特定する（Ｓ３２５）。これにより、新聞販売店端末３０での一連の処理を終了（エンド）する。
一方、希望広告配布依頼を受け付けていない場合（Ｎ）は、そのまま一連の処理を終了（エンド）する。
【０１３６】
次に、同戸別広告配布システムにおける顧客端末４０での動作の一例を説明する。図１４は、その流れを示すフローチャート図である。
まず、広告代理店サーバ１０に対して、広告配布要求部４０１より識別ＩＤ及び希望広告の配布要求を行う（Ｓ３３１）。
【０１３７】
次いで、その結果返送された希望広告配布用のテンプレートを受け取る（Ｓ３３２）。
そして、受け取った希望広告配布用テンプレートに対して、所望の広告取得地域及びジャンルといった広告の配布を希望する広告配布希望条件を入力、広告配布要求部４０１より広告代理店サーバ１０に対して送信する（Ｓ３３３）。これにより、顧客端末４０での一連の処理を終了（エンド）する。
【０１３８】
以上により、顧客が所望の地域に配布されている広告、たとえば、引越しを検討している顧客がその引越し先地域のスーパーマーケットの広告や、スポーツクラブの広告、学習塾の広告など、現在の地域では取得することの出来ない他の地域情報を取得することが出来る。
【０１３９】
次に、上述したシステムにより実行される本発明の第四の実施の形態として、顧客が自分に応じたオリジナルなカタログ広告を作成し、このオリジナルカタログ広告に基づいて商品の購入を希望する場合について説明する。そして、この際の情報の一連の流れは、一例として図１５のように示すことが出来る。
【０１４０】
まず、予め新聞販売店端末３０にて、少なくとも各顧客の住所情報または固定電話番号情報を含む顧客個人情報を入力する（図１５（６１）参照）。
新聞販売店端末３０より入力された顧客個人情報は、その情報の中に含まれる住所情報または固定電話番号情報に基づき、同じ住所情報または固定電話番号情報を有する顧客同士を同居する家族と見なし、顧客家庭情報としてそれぞれ互いに関連付けて顧客家庭情報記憶部３０４に記憶する（図１５（６２）参照）。
また、新聞販売店端末３０は、この顧客個人情報を広告代理店サーバ１０へ送信する（図１５（６３）参照）。
【０１４１】
次いで、広告代理店サーバ１０では、新聞販売店端末３０より送られた各顧客の個人情報を受け付ける（図１５（６４）参照）。
広告代理店サーバ１０にて受け付けた各顧客の個人情報を、送信元の新聞販売店情報と互いに関連付けて顧客情報記憶部１０２に記憶する（図１５（６５）参照）。
【０１４２】
また、クライアント端末２０では、広告代理店サーバ１０上に自らが取り扱っている商品情報を登録するために、所定のテンプレートにカタログ広告情報を入力する（図１５（６６）参照）。
引き続きクライアント端末２０は、入力したカタログ広告情報を広告代理店サーバ１０へ送信する（図１５（６７）参照）。
【０１４３】
そして、広告代理店サーバ１０はクライアント端末２０より送られたカタログ広告情報を受け付ける（図１５（６８）参照）。
広告代理店サーバ１０では、引き続き受け付けたカタログ広告情報をカタログ広告情報記憶部１０４に記憶する（図１５（６９）参照）。
【０１４４】
そして、顧客が、例えば自分が興味のある商品だけのオリジナルカタログを作成したい場合、顧客端末４０にて、所望のカタログ広告情報の閲覧を広告代理店サーバ１０対して要求する（図１５（７０）参照）。
広告代理店サーバ１０は、このカタログ広告情報の閲覧要求に応じて、当該顧客及び商品の判別が可能な識別情報、及び注文数量の指定が可能な選択情報を付加した所望のカタログ広告情報を顧客端末４０へ送信する（図１５（７１）参照）。
【０１４５】
顧客端末４０では、広告情報の閲覧要求に応じて広告代理店サーバ１０から送られた広告情報を表示部４０３にて閲覧可能に表示する（図１５（７２）参照）。
また、顧客端末４０では、表示された広告情報の中から所望の広告情報を選択し、出力する要求を受け付ける（図１５（７３）参照）。
顧客端末４０では、選択し要求された広告情報を、当該顧客及び商品の判別が可能な識別情報、及び注文数量の指定が可能な選択情報を付加して出力する（図１５（７４）参照）。この広告情報は、顧客情報と共に商品情報が一つの識別情報を構成するものであるので、他には無いユニークな情報となる。
広告情報の出力は、たとえば、紙媒体として印刷したり、玄関前など所定の場所に設置された表示部に表示したりする。
【０１４６】
そして、顧客端末４０では、たとえば、印刷した紙媒体カタログ広告情報の場合、カタログ広告の中から購入を希望する商品を示すチェック欄にレ印を付すことにより選択すると共に、その購入希望数を示すチェック欄にレ印を付すことにより指定し、この紙媒体カタログを新聞受けに入れておくことにより商品の注文を行う（図１５（７５）参照）。
【０１４７】
新聞販売店端末３０では、新聞の配達に伴って新聞受けの中を確認し、紙媒体カタログがあった場合には、希望する商品を示すチェック欄及びその購入希望数を示すチェック欄に相当する識別情報を、携帯用の新聞販売店端末３０を用いて読み取って注文情報の取得する（図１５（７６）参照）。
【０１４８】
新聞販売店端末３０では、注文情報の取得に応じ、取得した顧客情報に基づき、顧客家庭情報記憶部３０４を参照して該当する対象顧客が含まれる顧客家庭を特定する（図１５（７７）参照）。
また、新聞販売店端末３０では、注文情報と共に特定した顧客家庭情報を広告代理店サーバ１０へ送信することで商品を発注する（図１５（７８）参照）。
【０１４９】
広告代理店サーバ１０では、新聞販売店端末３０より送られた希望商品の注文情報を受け付ける（図１５（７９）参照）。
そして、広告代理店サーバ１０では、受け付けた注文情報を、希望商品を扱う企業等が利用するクライアント端末２０へ送信する（図１５（８０）参照）。
【０１５０】
その後、企業等では、注文した顧客が属する新聞販売店へ商品を発送し、新聞販売店ではその商品を特定した顧客家庭に戸別に配達する。
【０１５１】
次に、以上のような構成の戸別広告配布システムにおける広告代理店サーバ１０での動作の一例を説明する。図１６は、その流れを示すフローチャート図である。
まず、広告代理店サーバ１０では、どこからの情報であるか識別するために識別ＩＤの受付有無を判別する（Ｓ４０１）。
その結果、識別ＩＤを受け付けた場合（Ｙ）は、引き続き顧客情報受付部１０１にて新聞販売店端末３０からの顧客情報の受付有無を判別する（Ｓ４０２）。
一方、識別ＩＤを受け付けない場合（Ｎ）は、再度識別ＩＤの受付可否を判別する処理を繰り返す（Ｓ４０１）。なお、この際、識別ＩＤを発行するための操作を促すようにしても良い。
【０１５２】
次いで、顧客情報の受付有無の判別の結果、顧客の個人情報を受け付けた場合（Ｙ）は、顧客情報受付部１０１で受け付けた各顧客の個人情報を、送信元の広告配布者情報と互いに関連付けて顧客情報記憶部１０２に記憶する（Ｓ４０３）。
【０１５３】
また、広告代理店サーバ１０では、引き続きクライアント端末２０より送られたカタログ広告情報を受け付けたか否か判別する（Ｓ４０４）。
カタログ広告情報の受付有無の判別の結果、カタログ広告情報を受け付けた場合（Ｙ）は、所定の項目別に分類してカタログ広告情報記憶部１０４に記憶する（Ｓ４０５）。
一方、カタログ広告情報を受け付けていない（Ｎ）場合は、引き続き後述する新聞販売店端末３０からの注文情報を受け付けたか否かを判別する処理へ進む（Ｓ４０８）。
【０１５４】
広告代理店サーバ１０では、カタログ広告情報をカタログ広告情報記憶部１０４に記憶した後、引き続き顧客端末４０から上記広告情報登録部に登録されたカタログ広告情報の閲覧要求があったか否か判別を行う（Ｓ４０６）。
その結果、カタログ広告情報の閲覧要求があった場合（Ｙ）は、顧客端末４０からの要求に応じ広告情報閲覧部１０８にて、上記顧客情報記憶部１０２及び広告情報記憶部１０４を参照して顧客端末４０より要求のあったカタログ広告情報に、当該顧客及びカタログ商品の判別が可能な識別情報、及び商品注文数量の指定が可能な選択情報を付加して出力し、識別広告情報送信部１１６より閲覧可能に送信する（Ｓ４０７）。
【０１５５】
その後、広告代理店サーバ１０では、注文情報受付部１０７にて新聞販売店端末３０より上記識別情報及び選択情報を注文情報として受け付けたか否か判別する（Ｓ４０８）。
その結果、注文情報を受け付けた場合（Ｙ）は、上記広告情報記憶部１０４を参照して注文商品の取り扱い企業等を特定する（Ｓ４０９）。
その後、該当するクライアント端末２０へ注文情報送信部１１２より注文情報受付部１０７で受け付けた注文情報を送信する（Ｓ４１０）。これにより、一連の処理を終了（エンド）する。
一方、注文情報を受け付けていない場合（Ｎ）は、そのまま一連の処理を終了（エンド）する。
【０１５６】
次に、同戸別広告配布システムにおける新聞販売店端末３０での動作の一例を説明する。図１７は、その流れを示すフローチャート図である。
まず、少なくとも各顧客の住所情報または固定電話番号情報を含む個人情報を顧客情報入力部３０１より入力する（Ｓ４２１）。
次いで、上記顧客情報入力部３０１で入力された個人情報の住所情報または固定電話番号情報に基づき、同じ住所情報または固定電話番号情報を有する顧客同士を同居する家族と見なし、顧客家庭情報としてそれぞれ互いに関連付けて顧客家庭情報記憶部３０４に記憶する（Ｓ４２２）。
さらに、顧客情報入力部３０１より入力された顧客情報を、顧客情報送信部３０５より広告代理店サーバ１０に対して送信する（Ｓ４２３）。
【０１５７】
次いで、商品注文部３０６にて顧客側から識別情報及び選択情報をカタログ商品注文情報として取得したか否か判別する（Ｓ４２４）。
その結果、カタログ商品注文情報を取得した場合は、顧客家庭情報記憶部３０４を参照して該当する対象顧客が含まれる顧客家庭を対象顧客家庭特定部３０３にて特定する（Ｓ４２５）。
そして、取得したカタログ商品注文情報と共に特定した顧客家庭情報を広告代理店サーバ１０へ送信する（Ｓ４２６）。これにより、新聞販売店端末３０での一連の処理を終了（エンド）する。
【０１５８】
次に、同戸別広告配布システムにおける顧客端末４０での動作の一例を説明する。図１８は、その流れを示すフローチャート図である。
まず、広告代理店サーバ１０に対して、広告閲覧要求部４０２より識別ＩＤを入力し、希望するカタログ商品情報の閲覧を要求する（Ｓ４３１）。
【０１５９】
次いで、その結果返送された希望するカタログ商品情報を受信し、広告表示部４０３にて閲覧可能に表示する（Ｓ４３２）。
引き続き表示された広告情報の中から所望のカタログ商品情報だけを選択し、出力を要求する（Ｓ４３３）。
【０１６０】
そして、識別広告情報出力部４０４より当該顧客及び商品の判別が可能な識別情報、及び注文数量の指定が可能な選択情報を付加して出力し、自分に応じたオリジナルなカタログ広告を作成する。これにより、顧客端末４０での一連の処理を終了（エンド）する。
その後、顧客側では、出力したカタログ上のチェック欄において、購入希望商品及び数量を選択して発注する。
【０１６１】
以上により、顧客は、たとえば被服やアクセサリー、家具、車などの商品ジャンルや、ブランド名一括といった様々なカテゴリーで分割、管理し、自分の好みに応じてオリジナルカタログ広告を作成することが可能となる。また、自らが作成したオリジナルカタログ広告に基づいて、希望する商品の購入を行うことが出来る。
また、このオリジナルカタログ広告は、後から追加することが可能なようにルーズリーフ形式やバインダー形式の紙媒体カタログとすることも出来るし、所望の記憶媒体に記憶させ、所望に応じて表示部にそのカタログ広告を出力させるようにしても良い。
さらに、商品注文後の集金は、商品を戸別に配達する際は勿論のこと、商品を配達する新聞販売店の新聞料金集金業務に併せて行うようにしても良い。
【０１６２】
なお、上述の実施形態では、広告配布管理装置１０と広告配布者端末３０とで処理を分
担した分散処理システムの例について説明したが、広告配布者端末３０での処理を全て広告配布管理装置１０側で行うようにしてもよい。この場合、図２２に示すたように構成することができる。なお、図２２では、前述の実施形態と同一の構成については、同一の符号を付して各処理部の処理の説明を省略する。
これにより、例えば、広告配布管理装置１０側で全ての処理を行うことができ、例えば、広告配布者端末３０からはＷｅｂを介してアクセスするように構成することができる。
【０１６３】
また、顧客情報は広告配布者端末３０側のみで記憶し、広告配布管理装置１０側では顧客情報を記憶しないようにしてもよい。この場合、広告管理装置１０側では、各広告配布者が有している属性別の顧客の数、戸数などの情報のみをもち、顧客の個人情報は持たないようにしてもよい。これにより、広告配布管理装置１０側に顧客の個人情報などを提供する必要がなくなるから、個人情報が流出してしまうことを防止できるし、また広告配布管理装置側で顧客情報を勝手に流用したり、悪用するなどの情報流出、悪用を防止することができる。
【図面の簡単な説明】
【０１６４】
【図１】本発明の実施の形態に係る戸別広告配布を実施するためのシステムの一例を概略的に示す全体構成図である。
【図２】本発明の実施の形態に係る戸別広告配布システムの構成を簡略的に示すブロック図である。
【図３】本発明の実施の形態に係る戸別広告配布システムでの第一の流れの一例を示すシーケンス図である。
【図４】本発明の実施の形態に係る戸別広告配布システムにおける広告代理店サーバ側での第一の流れを示すフローチャート図である。
【図５】本発明の実施の形態に係る戸別広告配布システムにおけるクライアント端末側での第一の流れを示すフローチャート図である。
【図６】本発明の実施の形態に係る戸別広告配布システムにおける新聞販売店端末側での第一の流れを示すフローチャート図である。
【図７】本発明の実施の形態に係る戸別広告配布システムでの第二の流れの一例を示すシーケンス図である。
【図８】本発明の実施の形態に係る戸別広告配布システムにおける広告代理店サーバ側での第二の流れを示すフローチャート図である。
【図９】本発明の実施の形態に係る戸別広告配布システムにおけるクライアント端末側での第二の流れを示すフローチャート図である。
【図１０】本発明の実施の形態に係る戸別広告配布システムにおける新聞販売店端末側での第二の流れを示すフローチャート図である。
【図１１】本発明の実施の形態に係る戸別広告配布システムでの第三の流れの一例を示すシーケンス図である。
【図１２】本発明の実施の形態に係る戸別広告配布システムにおける広告代理店サーバ側での第三の流れを示すフローチャート図である。
【図１３】本発明の実施の形態に係る戸別広告配布システムにおける新聞販売店端末側での第三の流れを示すフローチャート図である。
【図１４】本発明の実施の形態に係る戸別広告配布システムにおける顧客端末側での第三の流れを示すフローチャート図である。
【図１５】本発明の実施の形態に係る戸別広告配布システムでの第四の流れの一例を示すシーケンス図である。
【図１６】本発明の実施の形態に係る戸別広告配布システムにおける広告代理店サーバ側での第四の流れを示すフローチャート図である。
【図１７】本発明の実施の形態に係る戸別広告配布システムにおける新聞販売店端末側での第四の流れを示すフローチャート図である。
【図１８】本発明の実施の形態に係る戸別広告配布システムにおける顧客端末側での第四の流れを示すフローチャート図である。
【図１９】本発明の実施の形態に係る戸別広告配布システムでの顧客情報ファイルの一例を示す構成図である。
【図２０】本発明の実施の形態に係る戸別広告配布システムでの顧客家庭情報ファイルの一例を示す構成図である。
【図２１】本発明の実施の形態に係る戸別広告配布システムでの広告情報ファイルの一例を示す構成図である。
【図２２】本発明の別の実施の形態に係る戸別広告配布システムの構成を簡略的に示すブロック図である。
【符号の説明】
【０１６５】
１０・・・広告配布管理装置（広告代理店サーバ）、２０・・・クライアント端末、３０・・・広告配布者（新聞販売店）端末、４０・・・顧客端末、５０・・・ネットワーク、６０・・・顧客情報ファイル、７０・・・顧客家庭情報ファイル、８０・・・広告情報ファイル。
【要約】
【課題】  新聞販売店が取得可能な地域住民の特定属性情報を利用すると共に、新聞販売店特有の販売網を有効に活用して広告を配布できる仕組みを提供する。
【解決手段】少なくとも各顧客の住所情報または固定電話番号情報を含む個人情報を入力し、顧客情報記憶部に記憶する。また、同じ住所情報または固定電話番号情報を有する顧客同士を同居する家族と見なし、顧客家庭情報としてそれぞれ互いに関連付けて顧客家庭情報記憶部に記憶する。そして、広告の配布を希望する広告配布対象条件の入力を受け付け、顧客情報記憶部を参照して該当する対象顧客を特定する。さらに、受け付けた対象顧客特定情報に基づき、上記顧客家庭情報記憶部を参照して該当する対象顧客が含まれる顧客家庭を対象顧客家庭特定部にて特定する。
【選択図】図３
【図１】
0003717916.tif 000002
【図２】
0003717916.tif 000003
【図３】
0003717916.tif 000004
【図４】
0003717916.tif 000005
【図５】
0003717916.tif 000006
【図６】
0003717916.tif 000007
【図７】
0003717916.tif 000008
【図８】
0003717916.tif 000009
【図９】
0003717916.tif 000010
【図１０】
0003717916.tif 000011
【図１１】
0003717916.tif 000012
【図１２】
0003717916.tif 000013
【図１３】
0003717916.tif 000014
【図１４】
0003717916.tif 000015
【図１５】
0003717916.tif 000016
【図１６】
0003717916.tif 000017
【図１７】
0003717916.tif 000018
【図１８】
0003717916.tif 000019
【図１９】
0003717916.tif 000020
【図２０】
0003717916.tif 000021
【図２１】
0003717916.tif 000022
【図２２】
0003717916.tif 000023